(57)【要約】 【課題】サークル内部が住居スペースとトイレスペースとに区画され、トイレの仕付けが容易であるとともに、サークル本体の下部にトレーが着脱自在に取り付けられた、使い勝手がよく、ペットが快適に過ごすことができるペット用サークルを提供する。【解決手段】サークル本体２の内部空間が仕切体４によって仕切られ、住居スペース１ａとトイレスペース１ｂに区画され、このサークル本体２の下部に、トレー６が着脱自在に取り付けられ、このトレー６は、住居スペース１ａに対応する住居側トレー部６aとトイレスペース１ｂに対応するトイレ側トレー部６bに区画され、住居側トレー部６aとトイレ側トレー部６bの境界にわたって漏れ止め用突部６２が形成されている。【選択図】図１
2008289504.tif 000002
【特許請求の範囲】
【請求項１】
複数のパネルが連結されたサークル本体の内部にペットを収容するペット用サークルであって、
前記サークル本体の内部空間が仕切体によって仕切られて住居スペースとトイレスペースに区画され、  
このサークル本体の下部に、トレーが着脱自在に取り付けられ、
前記トレーは、住居スペースに対応する住居側トレー部とトイレスペースに対応するトイレ側トレー部に区画され、住居側トレー部とトイレ側トレー部の境界にわたって漏れ止め用突部が形成されていることを特徴とするペット用サークル。
【請求項２】
請求項１に記載のペット用サークルにおいて、
前記漏れ止め用突部が形成された住居側トレー部とトイレ側トレー部の境界における前記仕切体に対応する位置に、仕切体の下端部を嵌め込む嵌入部が形成されていることを特徴とするペット用サークル。
【発明の詳細な説明】
【技術分野】
【０００１】
本発明は、内部に犬や猫などのペットを入れるペット用サークルに関する。
【背景技術】
【０００２】
ペット用サークルは、複数のパネルを連結し、これらのパネルで囲まれた内部にペットを収容するものであって、サークルの内部空間は、仕切られることなく１つ空間として構成されているものが一般的である（例えば、特許文献１参照。）。
【０００３】
ところで、ペット、特に犬の飼い主は、ペットサークルの中にペット用トイレを置いて使用していることが多い。そして、ペットにトイレの仕付けを行う際、飼い主がペットの排泄時が近づいたと察知すれば、まずペットをトイレに誘導し、ペットがトイレで排泄を終えると、トイレで排泄ができたことを誉めて学習させるという手順を踏むのが通常である。
【特許文献１】特開２００１−２４５５４５号公報
【発明の開示】
【発明が解決しようとする課題】
【０００４】
しかしながら、上記した一般的なペット用サークルにおいてその内部にペット用トイレを置くと、ペットの住居空間が狭くなって使い勝手が悪い。その上、ペット用トイレの他に食器やベッドを置くと、衛生上好ましくない。このように、ペットがサークル内で快適に過ごすことができないという問題があった。
【０００５】
また、ペット用トイレと住居空間との境界がないので、飼い主がペットをトイレに誘導し難く、たとえトイレへの誘導に成功した場合であっても、ペットがトイレの上で静止し難い。このため、ペットに対するトイレの仕付けが困難であった。
【０００６】
本発明は、このような事情に鑑み創案されたもので、サークル内部が住居スペースとトイレスペースとに区画され、トイレの仕付けが容易で、使い勝手がよく、ペットが快適に過ごすことができるペット用サークルを提供するものである。
【課題を解決するための手段】
【０００７】
上記の目的を達成するため、本発明に係るペット用サークルは、複数のパネルが連結されたサークル本体の内部にペットを収容するペット用サークルであって、
前記サークル本体の内部空間が仕切体によって仕切られて住居スペースとトイレスペースに区画され、  
このサークル本体の下部に、トレーが着脱自在に取り付けられ、
前記トレーは、住居スペースに対応する住居側トレー部とトイレスペースに対応するトイレ側トレー部に区画され、住居側トレー部とトイレ側トレー部の境界にわたって漏れ止め用突部が形成されていることを特徴とする。
【０００８】
この発明によれば、サークル本体の内部空間が住居スペースとトイレスペースに区画されているので、トイレスペースをペット用トイレを置くためだけの空間として使用することができる。したがって、サークル本体内にペット用トイレを置いた場合であっても、ペットは、住居スペースでゆとりを持って快適に過ごすことができる。また、住居スペースには、食器やベッドを置くことができるので、使い勝手がよい。
【０００９】
また、住居スペースとトイレスペースとの間が仕切体によって仕切られているので、飼い主がペットをトイレに誘導するのが容易で、トイレに誘導されたペットは、トイレから離れることがない。したがって、ペットに対してトイレの仕付けを好適に行うことが可能になる。
【００１０】
さらに、サークル本体の下部にトレーが設けられているので、ペットが飲食物をこぼしたり、糞尿をトイレ外にしてしまった場合であっても、サークルを載置している床面を汚すことが防止できる。
【００１１】
また、トレーが住居側トレー部とトイレ側トレー部とに区画され、この境界にわたって漏れ止め用突部が設けられているので、例えば、トイレスペースでペットが糞尿等を漏らしてしまった場合であっても、汚物が住居スペースに流れ出すことが防止できる。したがって、清潔で快適な環境で使用することができる。
【００１２】
本発明は、上記構成のペット用サークルにおいて、
前記漏れ止め用突部が形成された住居側トレー部とトイレ側トレー部の境界における前記仕切体に対応する位置に、仕切体の下端部を嵌め込む嵌入部が形成されていることを特徴とする。
【００１３】
この発明によれば、トレーの仕切体に対応する位置には、仕切体の下端部を嵌め込む嵌入部が形成されているので、仕切体のガタツキを防止することができる。
【発明の効果】
【００１４】
本発明によれば、サークル内部が住居スペースとトイレスペースとに区画され、各スペースに対応するトレーが設けられているので清潔で快適な環境でサークルを使用できるとともに、トイレの仕付けが容易で、使い勝手がよく、ペットが快適に過ごすことができるペット用サークルを提供することが可能になる。
【発明を実施するための最良の形態】
【００１５】
以下、本発明の実施の形態について、図を参照して説明する。
【００１６】
図１には、本実施形態のペット用サークル１の全体が示されている。
【００１７】
このペット用サークル１は、複数のパネル２ａ，２ｂ，２ｃ，２ｄが連結されたサークル本体２と、サークル本体２の下部に取り付けられたトレー６とを備え、サークル本体２の内部空間は、仕切体４によって仕切られ、住居スペース１ａとトイレスペース１ｂに区画されている。
【００１８】
サークル本体２は、正面・背面・左右の側面の４枚のパネル２ａ，２ｂ，２ｃ，２ｄが周囲壁を形成するように連結されており、各パネル２ａ，２ｂ，２ｃ，２ｄの隣り合うパネル同士は、固定棒２０により固定されている。
【００１９】
各パネル２ａ，２ｂ，２ｃ，２ｄは、木製の上フレーム２１と下フレーム２２と、これら上フレーム２１と下フレーム２２との間に取り付けられる金属製の網状体とから構成されている。
【００２０】
なお、各パネル２ａ，２ｂ，２ｃ，２ｄは、上フレーム２１と下フレーム２２との間をすべて網状体で構成するものに限定されるものではなく、例えば、上フレーム２１と下フレーム２２との間の一部に板状体を挿入することにより、サークル本体２の内部空間への外部からの刺激を軽減して、ペットが落ち着くことのできる空間となるようにしてもよい。また、下フレーム２２の床面と接地する面に、床の傷付きを防止する滑り止め部材を設けてもよい。
【００２１】
正面パネル２ａの上フレーム２１と背面パネル２ｂの上フレーム２１において、住居スペース１ａとトイレスペース１ｂの境界に対応する位置には、仕切体４を嵌め込む仕切体嵌め込み部２１ａが切り欠かれている。
【００２２】
正面パネル２ａの住居スペース１ａに対応する側には、ペットが出入り可能なペット出入口２ｅが開口されており、このペット出入口２ｅを開閉するペット用扉３が開閉自在に取付けられている。
【００２３】
ペット出入口２ｅは、正面パネル２ａの下端部から上端部にわたって広く開口されており、ペットが出入りし易いように図られている。
【００２４】
仕切体４は、仕切フレーム４１と網状体とが組み合わされたパネルで構成されており、仕切出入口４ａが開口されている。
【００２５】
仕切フレーム４１は、両端に嵌入部４２が形成された断面矩形状の角材であって、嵌入部４２をサークル本体２の仕切体嵌め込み部２１ａに嵌め込むことにより、仕切体４をサークル本体２に取り付けるようになされている。
【００２６】
仕切出入口４ａは、仕切体４の下端部から上端部にわたって広く開口されており、ペットが出入りし易いように図られており、この仕切出入口４ａを開閉する仕切扉４３が開閉自在に取り付けられている。
【００２７】
なお、仕切体４は、嵌入部４２をサークル本体２の仕切体嵌め込み部２１ａから外すことにより、容易に取り外すことができる。このように、仕切体４を取り外すことで、例えばトイレの仕付けが完了したペットに対しては、住居スペース１ａとトイレスペース１ｂとの間を常に自由に行き来できるようにすることも可能になる。
【００２８】
正面パネル２ａのトイレスペース１ｂに対応する側の下部には、ペット用トイレを出し入れ可能なトイレ出し入れ口５ａが開口されており、このトイレ出し入れ口５ａを開閉するトイレ用扉５が開閉自在に取付けられている。
【００２９】
トイレ出し入れ口５ａは、ペット用トイレの幅よりも若干広幅の横長形状に形成されており、ペット用トイレＡを出し入れし易いように図られている。
【００３０】
トレー６は、外周にわたって周壁部６１が立ち上げられており、排泄物や飲食物がサークル本体２内にこぼれた場合であっても、これらの汚物などがサークル本体２の木製の下フレームに直接かかって木材が腐敗することがないように図られている。また、トレー６は、住居スペース１ａに対応する住居側トレー部６ａとトイレスペース１ｂに対応するトイレ側トレー部６ｂに区画されており、住居側トレー部６ａとトイレ側トレー部６ｂの境界にわたって漏れ止め用突部６２が形成されている。
【００３１】
また、仕切体４に対応する位置には、突起６３が３個所形成されており、仕切体４の下端部を突起６３と漏れ止め用突部６２との間（嵌入部）に嵌め込んで、仕切体４のガタツキを防止できるようになされている。
【００３２】
さらに、トイレ側トレー部６ｂには、ペット用トイレを所定位置で静止させるトイレ静止用突部６４が形成されている。このトイレ静止用突部６４は、ペット用トイレＡの外枠が嵌め込まれるように形成されており、ペットの動きに伴ってペット用トイレＡが動くことがなくなり、好適に排便等をさせることを可能にしている。
【００３３】
次に、上記構成のペット用サークル１を組み立てる手順について説明する。
【００３４】
まず、正面、背面、左右の側面の４枚のパネル２ａ，２ｂ，２ｃ，２ｄを固定棒２０を介して連結し、サークル本体２を組み立てる。
【００３５】
次いで、トレー６をサークル本体２内に設置する。
【００３６】
続いて、サークル本体２の上方から仕切体４を挿入していき、仕切体４の下端部をトレー６の嵌入部に嵌め込むとともに、正面パネル２ａの上フレーム２１と背面パネル２ｂの上フレーム２１の仕切体嵌め込み部２１ａに仕切体４を嵌め入れる。
【００３７】
次に、上記構成のペット用サークル１の使用方法の一例について説明する。
【００３８】
まず、ペット用トイレAをサークル本体２のトイレスペース１ｂに設置する、この際、ペット用トイレAの外枠をトレー６のトイレ静止用突起６４に嵌め込んで、ペット用トイレＡが不測に動かないようにする。
【００３９】
次いで、ペット出入口２ｅを開けて、ペットをサークル本体２内に入れる。
【００４０】
使用者がペットの排泄が近づいてきたと察知した場合、仕切扉４を開けて、ペットをトイレスペース１ｂのペット用トイレＡに誘導する。
【００４１】
ペットがペット用トイレＡで排泄し終えると、トイレで排泄したことを誉め、仕切扉４を開けて、住居スペース１ａにペットを入れる。
【００４２】
ペット用トイレＡのシーツを交換する際には、トイレ出し入れ口５ａを開けて、ペット用トイレを取り出し、楽な姿勢でシーツを交換することができる。
【産業上の利用可能性】
【００４３】
本発明は、サークル内部が住居スペースとトイレスペースとに区画されたペット用サークルに適用できる。
【図面の簡単な説明】
【００４４】
【図１】ペット用サークルを分解して示す斜視図である。
【図２】ペット用サークルの各扉を開けた状態を示す斜視図である。
【図３】ペット用サークルのトレーを示す斜視図である。
【符号の説明】
【００４５】
１  ペット用サークル
１ａ  住居スペース
１ｂ  トイレスペース
２  サークル本体
３  ペット用扉
４  仕切体
４a  仕切出入口
４３  仕切扉
５  トイレ用扉
６  トレー
６a  住居側トレー部
６b  トイレ側トレー部
６１  周壁部
６２  漏れ止め用突部
６３  突起
６４  トイレ静止用突部
Ａ  トイレ
【図１】
2008289504.tif 000003
【図２】
2008289504.tif 000004
【図３】
2008289504.tif 000005